(57)【要約】【課題】扉を閉じた状態で蝶番の構成部材が露出せず、家具や仏壇などの意匠性を向上することができるとともに、扉に強固に固定することができ、さらに、扉の開閉を円滑に行うことができる蝶番を提供すること。【解決手段】本体Ｂ側に固定される棒状部材１と、扉Ｗ側に固定される板状部材２と、棒状部材１及び板状部材２を揺動可能に連結する支軸３とからなり、棒状部材１を挟んでその両側に板状部材２の管状に巻いて形成した連結部２１を配し、この連結部２１を貫通させた支軸３を棒状部材１に形成した凹部１１に嵌入するとともに、棒状部材１の外径φＤ１を連結部２１の外径φＤ２より大径に形成する。【選択図】図１
0003103443.tif 000002
【実用新案登録請求の範囲】
【請求項１】
本体側に固定される棒状部材と、扉側に固定される板状部材と、棒状部材及び板状部材を揺動可能に連結する支軸とからなる蝶番であって、前記棒状部材を挟んでその両側に板状部材の管状に巻いて形成した連結部を配し、該連結部を貫通させた支軸を棒状部材に形成した凹部に嵌入するとともに、前記棒状部材の外径を連結部の外径より大径に形成したことを特徴とする蝶番。
【請求項２】
連結部に支軸を貫通させた状態で連結部をかしめて一体化したことを特徴とする請求項１記載の蝶番。
【考案の詳細な説明】
【技術分野】
【０００１】
本考案は、蝶番に関し、特に、扉を閉じた状態で蝶番の構成部材が露出せず、家具や仏壇などの意匠性を向上することができる蝶番に関するものである。
【背景技術】
【０００２】
家具や仏壇などの扉を揺動可能に支持するために蝶番が用いられている。
そして、この蝶番として、管状に巻いて形成した連結部（ナックル）を有する２枚の板状部材を、連結部に支軸を貫通して連結することにより、揺動可能に一体化したものが従来から汎用されている。
【０００３】
しかしながら、この蝶番は、扉を閉じた状態で蝶番の構成部材である板状部材が、本体側の側面に露出し、意匠性が重要視される家具や仏壇などにおいて、家具や仏壇などの意匠性を損なわない蝶番の作成に手数とコストを要するという問題があった。
【０００４】
この問題点を解消するため、一端に凸部が形成された棒状雄部材と、一端に前記凸部と嵌合する凹部が形成された棒状雌部材とからなる蝶番が提案されている（特許文献１参照）。
この蝶番は、蝶番を棒状雄部材と棒状雌部材とで構成しているため、蝶番の構成部材が露出せず、家具や仏壇などの意匠性を向上することができる反面、棒状部材を扉、特に、厚みのない扉に強固に固定することが困難で、長期間の使用によって緩みが生じ易いという問題があった。
また、この蝶番は、棒状雄部材と棒状雌部材の外径を同径に形成しているため、一方の棒状部材を固定した本体側に、他方の棒状部材やこの棒状部材を固定した扉が接触し、扉の開閉を円滑に行えないという問題があった。
【特許文献１】実公平６−４０８４１号公報
【考案の開示】
【考案が解決しようとする課題】
【０００５】
本考案は、上記従来の蝶番の有する問題点に鑑み、扉を閉じた状態で蝶番の構成部材が露出せず、家具や仏壇などの意匠性を向上することができるとともに、扉に強固に固定することができ、さらに、扉の開閉を円滑に行うことができる蝶番を提供することを目的とする。
【課題を解決するための手段】
【０００６】
上記目的を達成するため、本考案の蝶番は、本体側に固定される棒状部材と、扉側に固定される板状部材と、棒状部材及び板状部材を揺動可能に連結する支軸とからなる蝶番であって、前記棒状部材を挟んでその両側に板状部材の管状に巻いて形成した連結部を配し、該連結部を貫通させた支軸を棒状部材に形成した凹部に嵌入するとともに、前記棒状部材の外径を連結部の外径より大径に形成したことを特徴とする。
【０００７】
この場合において、連結部に支軸を貫通させた状態で連結部をかしめて一体化することができる。
【考案の効果】
【０００８】
本考案の蝶番は、本体側に固定される棒状部材と、扉側に固定される板状部材と、棒状部材及び板状部材を揺動可能に連結する支軸とからなる蝶番であって、前記棒状部材を挟んでその両側に板状部材の管状に巻いて形成した連結部を配し、該連結部を貫通させた支軸を棒状部材に形成した凹部に嵌入するとともに、前記棒状部材の外径を連結部の外径より大径に形成するようにしているので、扉を閉じた状態では、本体側に固定された棒状部材及び扉側に固定された板状部材の連結部が見えるだけで、蝶番の構成部材が実質的に露出せず、家具や仏壇などの意匠性を向上することができるとともに、扉側に固定される板状部材は、厚みのない扉の場合でも、ビス等によって扉に強固に固定することができ、さらに、棒状部材を固定した本体側と板状部材の管状に巻いて形成した連結部や扉との間に隙間が形成され、両者が接触しないことから、棒状部材を挟んでその両側に板状部材の管状に巻いて形成した連結部を配することにより軸振れが少なくなることと相俟って、扉の開閉を円滑に行うことができる。
【０００９】
また、連結部に支軸を貫通させた状態で連結部をかしめて一体化することにより、蝶番の組み立てを簡易に行うことができる。
【考案を実施するための最良の形態】
【００１０】
以下、本考案の蝶番の実施の形態を、図面に基づいて説明する。
【実施例１】
【００１１】
図１〜図２に、本考案の蝶番の一実施例を示す。
この蝶番Ｈは、家具や仏壇などの本体（側板）Ｂ側に固定される略円柱状の棒状部材１と、扉Ｗ側に固定される管状に巻いて形成した略円筒状の連結部（ナックル）２１を有する板状部材２と、棒状部材１及び板状部材２を揺動可能に連結する支軸３とから構成されている。
【００１２】
棒状部材１、板状部材２及び支軸３は、特に限定されるものではないが、銅、黄銅、青銅、ステンレススチール等の金属で形成され、必要に応じて、メッキや塗装などの表面処理を施すようにする。
【００１３】
棒状部材１と板状部材２とは、棒状部材１を挟んでその両側に板状部材２の管状に巻いて形成した連結部２１を配し、この連結部２１を貫通させた支軸３を棒状部材１に形成した凹部１１に嵌入することにより、揺動可能に一体化するようにしている。
【００１４】
この場合、板状部材２の管状に巻いて形成した連結部２１に支軸３を貫通させた状態で連結部２１をかしめて一体化することができ、これにより、蝶番Ｈの組み立てを簡易に行うことができる。
【００１５】
そして、棒状部材１の外径φＤ１を、板状部材２の管状に巻いて形成した連結部２１の外径φＤ２より大径、具体的には、棒状部材１の外径φＤ１と連結部２１の外径φＤ２の差を、０．１〜１．０ｍｍ、より好ましくは、０．２〜０．５ｍｍ程度に形成するようにする。
【００１６】
この蝶番Ｈは、上記の構成からなるため、図２（ａ）に示すように、扉Ｗを閉じた状態では、家具や仏壇などの本体（側板）Ｂ側に固定された棒状部材１及び扉Ｗ側に固定された板状部材２の連結部２１が見えるだけで、蝶番Ｈの構成部材が実質的に露出せず、家具や仏壇などの意匠性を向上することができるとともに、蝶番Ｈの作成の手数とコストを軽減することができる。
【００１７】
また、扉Ｗ側に固定される板状部材２は、厚みのない扉の場合でも、板状部材２に形成したビス孔２２にビス（図示省略）を適用することよって扉Ｗに強固に固定することができる。
なお、家具や仏壇などの本体（側板）Ｂ側に固定される略円柱状の棒状部材１は、棒状部材１に形成した釘孔２２に比較的長さのある釘又はビス４を適用することよって本体（側板）Ｂに強固に固定することができる。
【００１８】
さらに、棒状部材１の外径φＤ１を、板状部材２の管状に巻いて形成した連結部２１の外径φＤ２より大径に形成することによって、棒状部材１を固定した家具や仏壇などの本体（側板）Ｂと板状部材２の管状に巻いて形成した連結部２１や扉Ｗとの間に隙間が形成されることとなり、両者が接触しないことから、棒状部材１を挟んでその両側に板状部材２の管状に巻いて形成した連結部２１を配することにより軸振れが少なくなることと相俟って、扉Ｗの開閉を円滑に行うことができる。
【００１９】
以上、本考案の蝶番について、その実施例に基づいて説明したが、本考案は上記実施例に記載した構成に限定されるものではなく、その趣旨を逸脱しない範囲において適宜その構成を変更することができるものである。
【産業上の利用可能性】
【００２０】
本考案の蝶番は、扉を閉じた状態で蝶番の構成部材が露出せず、家具や仏壇などの意匠性を向上することができるとともに、扉に強固に固定することができ、さらに、扉の開閉を円滑に行うことができることから、意匠性が重要視される家具や仏壇などの扉を揺動可能に支持するために用いられる蝶番の用途に好適に用いることができる。
【図面の簡単な説明】
【００２１】
【図１】本考案の蝶番の一実施例を示し、（ａ）は正面図、（ｂ）は横断面図、（ｃ）は分解図、（ｄ）は分解横断面図である。
【図２】同蝶番を家具や仏壇などに適用した説明図で、（ａ）は扉を閉じた状態を、（ｂ）は扉を開いた状態を、それぞれ示す。
【符号の説明】
【００２２】
Ｂ    本体
Ｗ    扉
Ｈ    蝶番
φＤ１  棒状部材の外径
φＤ２  板状部材の連結部の外径
１    棒状部材
２    板状部材
２１  連結部
３    支軸
【図１】
0003103443.tif 000003
【図２】
0003103443.tif 000004